(57)【特許請求の範囲】
【請求項１】
インロー嵌め可能な上ケースと下ケースとのインロー嵌合部の一方に、複数の係止用爪部を形成すると共に他方に該各係止用爪部を係止可能な係止溝部をそれぞれ形成し、且つ、いずれか二つの隣接する係止用爪部および係止溝部間の位置に板状物の一部を差込んで捻ることにより隙間を開くための板差込用凹部を形成した電子部品収納用小ケースにおいて、
前記板差込用凹部に隣接する二つの係止用爪部のうちの少なくとも一方の係止用爪部の、板差込用凹部寄りの部分を一部、係止溝部の溝深さ方向に対する突出量が少なくなるように切欠くことにより、当該係止用爪部が、他の位置にある別の係止用爪部と比べて短くなるようにしたことを特徴とする電子部品収納用小ケース。
【請求項２】
前記係止用爪部の切欠きが、板差込用凹部へ近付くに従い、係止溝部の溝深さ方向に対する突出量が斜めに徐々に少なくなるテーパ部となっていることを特徴とする請求項１記載の電子部品収納用小ケース。
【請求項３】
前記板差込用凹部に隣接する係止用爪部のうちの少くとも一方を二つに分断することにより、板差込用凹部寄りの爪部片を、板差込用凹部へ外部の板状物を差込んで捻ることにより上ケースと下ケースとの間の隙間を開いた際に上ケースと下ケースのうちのどちらか一方の縁面に係止して隙間を開いた状態に保持可能な係止部としたことを特徴とする請求項１または請求項２に記載の電子部品収納用小ケース。
【発明の詳細な説明】
【０００１】
【発明の属する技術分野】
この発明は、電子部品収納用小ケースに関するものである。
【０００２】
【従来の技術】
自動車などに、近年、鍵を使わずに遠隔操作でドアを開閉できるようにしたキーレスエントリーシステムを装備したものがある。該キーレスエントリーシステムでは、小型の送信機を用いてドアの開閉を行う。
【０００３】
これらのキーレスエントリーシステムの送信機は、ポケットに入る程度の大きさの樹脂製の小ケースに電子基板やボタン電池などの電子部品を収容している。
【０００４】
上記小ケースは、電池交換などができるようにするために、開閉可能な構造とされるのが普通である。この際、ネジを外して開くようにした構造のものも存在するが、安価で且つ簡単に製造できるようにするためには、ネジを外さずに開けられるようにする方が有利である。
【０００５】
そのために、図５〜図９に示すような電子部品収納用小ケース１が用いられている。即ち、図５に示すような蓋板２と該蓋板２の縁部から起立する周壁３とを有する上ケース４を設けると共に、図６に示すような底板５と該底板５の縁部から起立する周壁６とを有する下ケース７を設ける。
【０００６】
そして、前記周壁３，６に、上ケース４と下ケース７をインロー嵌め可能なインロー嵌合部９，１０を形成する（なお、図では上ケース４のインロー嵌合部９が凸側、下ケース７のインロー嵌合部１０が凹側と成っているが、反対であっても良い）。
【０００７】
さらに、インロー嵌合部９の外周面には、周方向へ延びる係止用爪部１１が間隔を置いて複数形成されると共に、インロー嵌合部１０の内周面のうち前記各係止用爪部１１と他の位置に、係止用爪部１１を係止する複数の係止溝部１２がそれぞれ形成されている。なお、前記係止用爪部１１は、前記インロー嵌合部９の外周面から直角に延設され、且つ、該外周面全体に沿って形成された段差部８へ向いた側に係止用垂直面１３が段差部８に平行に形成され、その反対側に係止溝部１２への嵌合を容易にするための傾斜面１４が形成されている。
【０００８】
そして、上ケース４と下ケース７の少くともどちらか一方における二つの係止用爪部１１と係止溝部１２との間の位置にコインなどの板状物２２の一部を差込むための板差込用凹部１５が形成されている。
【０００９】
尚、図５〜図９の場合、より詳細には、電子部品収納用小ケース１は、全体としてほぼ卵型をしており、上ケース４には、図中上側の部分にキーホルダー機能をなすための孔１６を形成するループ状部１７が形成されている。且つ、上ケース４の段差部８は、前記ループ状部１７の両方の付根部分にて不連続となっており（不連続部１８）、二つの不連続部１８間に位置する段差部８ａは他の段差部８に比べて幅が広くなっている。反対に、下ケース７の前記孔１６に相当する部分は円弧型の切欠１９となっている。且つ、下ケース７の周壁６は、前記ループ状部１７の付根部分に相当する位置に不連続となる部分が形成されており（不連続部２０）、二つの不連続部２０間に位置する周壁６ａは他の周壁６部分に比べて幅が広くなっている。
【００１０】
そして、上ケース４には、平面的に見て前後に一箇所ずつ、且つ、左右に二箇所ずつ、合計６箇所の係止用爪部１１が形成されている。これに対応させて、下ケース７にも、平面的に見て前後に一箇所ずつ、且つ、左右に二箇所ずつ、合計６箇所の係止溝部１２が形成されている。さらに、コインなどの板状物２２の一部を挿入するための板差込用凹部１５は、上ケース４のループ状部１７の一方の付根部分の近傍に形成されている。尚、図中、２１は下ケース７に形成された電池の外形よりも若干大き目に形成された円周状の電池係止壁である。
【００１１】
かかる構成によれば、図８に示すように、上ケース４の周壁３に形成されたインロー嵌合部９を下ケース７の周壁６に形成されたインロー嵌合部１０の内部へ嵌合し、上ケース４のインロー嵌合部９に形成した係止用爪部１１を下ケース７のインロー嵌合部１０に形成した係止溝部１２へ係止させることにより、上ケース４と下ケース７とが係止されて電子部品収納用小ケース１となる。
【００１２】
反対に、図９に示すように、上ケース４のループ状部１７の一方の付根部分に形成された板差込用凹部１５へコインなどの板状物２２の一部を挿入して、その板状物２２を捻ると、図１０に示すように、板差込用凹部１５と隣接する位置にある係止用爪部１１が係止溝部１２から外れ、上ケース４と下ケース７との間に僅かの隙間ｅができるので、該隙間ｅに両方の親指の爪を差込んでこじ開けることにより、上ケース４と下ケース７とが二つに別れる。
【００１３】
この状態で電池交換などを行い、再び、図８のようにして上ケース４と下ケース７とを嵌合し、係止用爪部１１を係止溝部１２へ係止させることにより、電子部品収納用小ケース１を組み立てる。
【００１４】
【発明が解決しようとする課題】
しかしながら、このような従来の電子部品収納用小ケースでは、以下のような問題があった。
【００１５】
即ち、電子部品収納用小ケース１を開けるのは、ほとんどが電池交換などの特別な場合に限られているので、電子部品収納用小ケース１は日常使用している時に簡単に開いてしまわないように作られる傾向にある。
【００１６】
そのために、係止用爪部１１の設置個数を、平面的に見て前後に一箇所ずつ、左右に二箇所ずつの合計６箇所とすることにより、製造の仕易さやコストダウンの面などからの最適化を図りつつも、係止用爪部１１を、電子部品収納用小ケース１の周方向へ比較的長く延ばすようにして、強い係合力が得られるようにしている。
【００１７】
しかし、電子部品収納用小ケース１をこのような構造とした場合、いざ開けようとしても、係止用爪部１１は一方の角部から他方の角部へ向って順番に嵌合が外れて行くので、一方の角部と係止溝部１２との係合を外すために、コインなどの板状物２２を大きな力で捻る必要があった。また、コインなどの板状物２２を捻ってできた隙間ｅが狭すぎて両方の親指の爪が隙間ｅにうまく入らず、簡単に開けることができないなどという問題があった。
【００１８】
そこで、本発明の目的は、上記の問題点を解消し、衝撃などによっては簡単に開かないようにすることかできると共に開けようとした時には簡単に開けることができる電子部品収納用小ケースを提供することにある。
【００１９】
【課題を解決するための手段】
上記課題を解決するために、請求項１に記載された発明では、インロー嵌め可能な上ケースと下ケースとのインロー嵌合部の一方に、複数の係止用爪部を形成すると共に他方に該各係止用爪部を係止可能な係止溝部をそれぞれ形成し、且つ、いずれか二つの隣接する係止用爪部および係止溝部間の位置に板状物の一部を差込んで捻ることにより隙間を開くための板差込用凹部を形成した電子部品収納用小ケースにおいて、前記板差込用凹部に隣接する二つの係止用爪部のうちの少なくとも一方の係止用爪部の、板差込用凹部寄りの部分を一部、係止溝部の溝深さ方向に対する突出量が少なくなるように切欠くことにより、当該係止用爪部が、他の位置にある別の係止用爪部と比べて短くなるようにしたことを特徴としている。
【００２０】
このように構成された請求項１にかかる発明では、板差込用凹部に隣接する係止用爪部における、板差込用凹部寄りの部分を突出量が少なくなるように切欠いて、当該係止用爪部が、他の位置にある別の係止用爪部と比べて短くなるようにすることにより、少ない力で板差込用凹部へ差込んだ板状物を捻る操作によってケースを開けることが可能となる。
【００２１】
即ち、板差込用凹部へ差込んだ板状物を捻る場合、板差込用凹部のほぼ中央部がテコの力点となり、板差込用凹部に隣接する係止用爪部における、板差込用凹部側の端部が一時的にテコの支点兼作用点となるが、板差込用凹部と隣接する係止用爪部における、板差込用凹部寄りの部分を切欠くことにより、力点と支点兼作用点間のテコの腕が従来よりも長くなるので、その分、小さな捻り力でも係止用爪部と係止溝部との係合状態を解除することができるようになる。
【００２２】
この際、板差込用凹部に隣接する係止用爪部のみを短くしているので、電子部品収納用小ケース全体としての係止力が必要以上に弱まるのを防止しながら、小さな捻り力で係止用爪部と係止溝部との係合状態を解除することができるので、板状物によって板差込用凹部の周囲を損傷し難くなるという効果も得られる。
【００２３】
また、請求項２に記載された発明では、前記係止用爪部の切欠きが、板差込用凹部へ近付くに従い、係止溝部の溝深さ方向に対する突出量が斜めに徐々に少なくなるテーパ部となっていることを特徴としている。
【００２４】
このように構成された請求項２にかかる発明では、係止用爪部における切欠部分を板差込用凹部へ近付くに従い、係止溝部の溝深さ方向に対する突出量が斜めに徐々に少なくなるテーパ部とすることによりテーパ部と差込用凹部との係合力が小さくなり、テーパ部がない場合に比べて、係止用爪部と係止溝部との外れ易さを高めることが可能となると共に、テーパ部の反対側端部と差込用凹部との係合は従来構造と同様であるので、係止用爪部と係止溝部との係止力を従来通り保持することが可能となる。
【００２５】
更に、請求項３に記載された発明では、インロー嵌め可能な上ケースと下ケースとのインロー嵌合部の一方に、複数の係止用爪部を形成すると共に他方に該各係止用爪部を係止可能な係止溝部をそれぞれ形成し、且つ、いずれか二つの隣接する係止用爪部および係止溝部間の位置に板状物の一部を差込んで捻ることにより隙間を開くための板差込用凹部を形成した電子部品収納用小ケースにおいて、前記板差込用凹部に隣接する係止用爪部のうちの少くとも一方を二つに分断することにより、板差込用凹部寄りの爪部片を、板差込用凹部へ外部の板状物を差込んで捻ることにより上ケースと下ケースとの間の隙間を開いた際に上ケースと下ケースのうちのどちらか一方の縁面に係止して隙間を開いた状態に保持可能な係止部としたことを特徴としている。
【００２６】
このように構成された請求項３にかかる発明では、板差込用凹部に隣接する係止用爪部のうちの少くとも一方を二つに分断することにより、電子部品収納用小ケースを開けやすくする効果が得られる。
【００２７】
即ち、板状物を捻ることにより板差込用凹部に隣接する係止用爪部と係止溝部との係合状態を解除した時に、分断された係止用爪部のうちの板差込用凹部寄りの係止部が、丁度良い具合に、上ケースまたは下ケースの縁面を係止して、上ケースと下ケースの板差込用凹部の周囲に形成される隙間が大きく開いた状態に保持され、板状物を外しても隙間が狭くならないようにすることができる。これにより、隙間に両方の親指の爪や指先などを差込んでこじ開けることが容易となり、簡単に電子部品収納用小ケースを開けることができるようになる。
【００２８】
【発明の実施の形態１】
以下、本発明の具体的な実施の形態１について、図示例と共に説明する。
【００２９】
図１〜図４は、この発明の実施の形態１を示すものである。なお、前記従来例と同一ないし均等な部分については、同一の符号を付して説明する。
【００３０】
まず、構成を説明すると、この実施の形態１のものでは、上ケース４におけるコインなどの板形状をした板状物２２の周縁の一部を差込んで捻ることにより隙間ｄを開くための板差込用凹部１５に隣接する二つの係止用爪部２５，２６のうちの少なくとも一方の係止用爪部２５，２６における、板差込用凹部１５寄りの部分を一部、係止溝部１２の溝深さ方向に対する突出量が少なくなるように切欠くことにより、係止用爪部２５，２６の通常爪部分２７，２８（特に加工などがされていない通常の爪部分。以下同様）が、他の位置（特に対応する位置）にある別の係止用爪部１１の通常爪部分と比べて短くなるようにする。好ましくは、係止用爪部２５，２６における、切欠部分を、板差込用凹部１５へ近付くに従い、係止溝部１２の溝深さ方向に対する突出量が斜めに少なくなるテーパ部２９ａ，ｂとする。
【００３１】
そして、板差込用凹部１５に隣接する係止用爪部２５，２６（図２では係止用爪部２６としている）のうちの少くとも一方の通常爪部分２８を二つに分断することにより、板差込用凹部１５寄りの爪部片を、板差込用凹部１５へ外部の板状物２２を差込んで捻ることにより上ケース４と下ケース７との間の隙間ｄを開いた際に上ケース４と下ケース７のうちのどちらか一方の周壁３，６（この場合は下ケース７の周壁６ａ）の縁面３２に係止して隙間ｄを開いた状態に保持可能な（隙間保持用の）係止部３０とする。なお、係止用爪部２１の係止部３０となっていない側の通常爪部分２８における、板差込用凹部１５寄りの部分に板差込用凹部１５へ近付くに従い突出量が少なくなるテーパ部３１を形成しても良い。
【００３２】
なお、下ケース７に関しては、従来例と同じものを使用する。
【００３３】
次に、この実施の形態１の作動について、図２を用いながら説明する。
【００３４】
電子部品収納用小ケース１を開閉する作動については図８、図９の場合と同様なので説明を省略する。
【００３５】
本実施の形態の場合、コインなどの板形状をした板状物２２の一部を差込んで捻ることにより隙間ｄを開くための板差込用凹部１５に隣接する係止用爪部２５，２６における、板差込用凹部１５寄りの部分を突出量が少なくなるように切欠くことにより、係止用爪部２５，２６の通常爪部分２７，２８を、他の位置にある別の係止用爪部１１と比べて短くなるようにしているが、このようにすると、少ない力で板差込用凹部１５へ差込んだコインなどの板状物２２を捻る操作により上ケース４と下ケース７との係合の一部を容易に外すことが可能となる。
【００３６】
即ち、板差込用凹部１５へ差込んだコインなどの板状物２２を捻る場合、図３に示すように、板差込用凹部１５のほぼ中央部がテコの力点ａとなり、板差込用凹部１５に隣接する係止用爪部２５，２６における、板差込用凹部１５側の端部が一時的にテコの支点兼作用点ｂとなるが、板差込用凹部１５と隣接する係止用爪部２５，２６における、板差込用凹部１５寄りの部分を切欠くことにより、力点ａと支点兼作用点ｂ（従来はｂ’）間のテコの腕が従来のｃ’からｃへと長くなるので、その分、小さな捻り力でも係止用爪部２５，２６と係止溝部１２との係合状態を解除することができるようになる。
【００３７】
この際、板差込用凹部１５に隣接する係止用爪部２５，２６のみを短くしているので、電子部品収納用小ケース１全体としての係止力が必要以上に弱まるのを防止しながら、小さな捻り力で係止用爪部２５，２６と係止溝部１２との係合状態を解除することができるので、コインなどの板状物２２によって板差込用凹部１５の周囲を損傷し難くなるという効果も得られる。
【００３８】
更に、係止用爪部２５，２６における切欠部分を板差込用凹部１５へ近付くに従い、係止溝部１２の溝深さ方向に対する突出量が斜めに少なくなるテーパ部２９ａ，ｂとすることによりテーパ部２９ａ，ｂと差込用凹部１５との係合力が小さくなり、テーパ部２９ａ，ｂがない場合に比べて、係止用爪部２５，２６と係止溝部１２との外れ易さを高めることが可能となると共に、テーパ部２９ａ，ｂの反対側端部と差込用凹部１５との係合は従来構造と同様であるので、係止用爪部２５，２６と係止溝部１２との係止力を従来通り保持することが可能となる。
【００３９】
加えて、板差込用凹部１５に隣接する係止用爪部２５，２６（図２では係止用爪部２６としている）のうちの少くとも一方を二つに分断することにより、以下の効果が得られる。
【００４０】
即ち、コインなどの板形状をした板状物２２を捻ることにより板差込用凹部１５に隣接する係止用爪部２５，２６と係止溝部１２との係合状態を解除した時に、図４に示すように、分断された係止用爪部２６のうちの板差込用凹部１５寄りの係止部３０が、丁度良い具合に、下ケース７の周壁６ａの縁面３２を係止する。これにより、上ケース４と下ケース７とは、板差込用凹部１５の周囲に形成される隙間ｄが大きく開いた状態に保持され、且つ、コインなどの板形状をした板状物２２を外した時に、必ず係止部３０に下ケース７の周壁６ａの縁面３２が係止されるので、一度開いた隙間ｄが狭くなってしまうことが防止される。従って、隙間ｄに両方の親指の爪や指先などを差込んでこじ開けるのが容易化され、簡単に電子部品収納用小ケースを開けることができるようになる。
【００４１】
なお、コインなどの板形状をした板状物２２を捻ったときにできる上ケース４と下ケース７の隙間はあまり大きくなく、且つ、樹脂製の上ケース４と下ケース７の変形可能量にも限界があるので、従来の場合、板差込用凹部１５に隣接する係止用爪部の全体で下ケース７の周壁６の縁面３２を係止するような状態にはならず、即ち、一時係止されないので、コインなどの板状物２２を外すと隙間は狭くなってしまい、結果としてケースを開けることが難しかった。
【００４２】
以上、この発明の実施の形態を図面により詳述してきたが、具体的な構成はこの実施の形態に限らず、この発明の要旨を逸脱しない範囲の設計の変更等があってもこの発明に含まれる。
【００４３】
例えば、板状物２２は円板状や多角形状など各種の形状のものを使用することが可能であり、板差込用凹部１５も部分円弧状や部分多角形状とすることができる。
【００４４】
以上説明してきたように、請求項１の発明によれば、板状物の一部を差込んで捻ることにより隙間を開くための板差込用凹部に隣接する係止用爪部における、板差込用凹部寄りの部分を突出量が少なくなるように切欠いて、当該係止用爪部が、他の位置にある別の係止用爪部と比べて短くなるようにすることにより、少ない力で板差込用凹部へ差込んだ板状物を捻る操作によってケースを開けることが可能となる。即ち、板差込用凹部へ差込んだ板状物を捻る場合、板差込用凹部のほぼ中央部がテコの力点となり、板差込用凹部に隣接する係止用爪部における、板差込用凹部側の端部が一時的にテコの支点兼作用点となるが、板差込用凹部と隣接する係止用爪部における、板差込用凹部寄りの部分を切欠くことにより、力点と支点兼作用点間のテコの腕が従来よりも長くなるので、その分、小さな捻り力でも係止用爪部と係止溝部との係合状態を解除することができるようになる。
【００４５】
この際、板差込用凹部に隣接する係止用爪部のみを短くしているので、電子部品収納用小ケース全体としての係止力が必要以上に弱まるのを防止しながら、小さな捻り力で係止用爪部と係止溝部との係合状態を解除することができるので、板状物によって板差込用凹部の周囲を損傷し難くなるという効果も得られる。
【００４６】
また、請求項２の発明によれば、係止用爪部における切欠部分を板差込用凹部へ近付くに従い、係止溝部の溝深さ方向に対する突出量が斜めに少なくなるテーパ部とすることによりテーパ部と差込用凹部との係合力が小さくなり、テーパ部がない場合に比べて、係止用爪部と係止溝部との外れ易さを高めることが可能となると共に、テーパ部の反対側端部と差込用凹部との係合は従来構造と同様であるので、係止用爪部と係止溝部との係止力を従来通り保持することが可能となる。
【００４７】
さらに、請求項３の発明によれば、板差込用凹部に隣接する係止用爪部のうちの少くとも一方を二つに分断することにより、電子部品収納用小ケースを開けやすくする効果が得られる。即ち、板状物を捻ることにより板差込用凹部に隣接する係止用爪部と係止溝部との係合状態を解除した時に、分断された係止用爪部のうちの板差込用凹部寄りの係止部が、丁度良い具合に、上ケースまたは下ケースの縁面を係止して、上ケースと下ケースの板差込用凹部の周囲に形成される隙間が大きく開いた状態に保持され、板状物を外しても隙間が狭くならないようにすることができる。これにより、隙間に両方の親指の爪や指先などを差込んでこじ開けることが容易となり、簡単に電子部品収納用小ケースを開けることができるようになる、という実用上有益な効果を発揮し得る。
【図面の簡単な説明】
【図１】本発明の実施の形態１の電子部品収納用小ケースの部分拡大斜視図である。
【図２】図１の上ケースの底面図である。
【図３】図１の上ケースの概略側面図である。
【図４】図１の電子部品収納用小ケースを開く状態を示す概略正面図である。
【図５】従来例の電子部品収納用小ケースにかかる上ケースの底面図である。
【図６】従来例の電子部品収納用小ケースにかかる下ケースの平面図である。
【図７】従来例の電子部品収納用小ケースの部分断面図である。
【図８】従来例の電子部品収納用小ケースを組立てる作動を示す概略斜視図である。
【図９】従来例の電子部品収納用小ケースを分解する作動を示す概略斜視図である。
【図１０】従来例の電子部品収納用小ケースを開く状態を示す概略正面図である。
【符号の説明】
４   上ケース
７   下ケース
９，１０    インロー嵌合部
１１ 係止用爪部
１２ 係止溝部
１５ 板差込用凹部
２２ 板状物
２５，２６  係止用爪部
２７，２８  通常爪部分
２９ａ，２９ｂ     テーパ部（切欠）
３０ 係止部
３２ 縁面
【図１】
0004187823.tif 000002
【図２】
0004187823.tif 000003
【図３】
0004187823.tif 000004
【図４】
0004187823.tif 000005
【図５】
0004187823.tif 000006
【図６】
0004187823.tif 000007
【図７】
0004187823.tif 000008
【図８】
0004187823.tif 000009
【図９】
0004187823.tif 000010
【図１０】
0004187823.tif 000011